(57)【要約】【課題】固型ルウなどの収納物を使用状態に応じて必要部分だけ開封可能にしたトレー状容器包装体の開封構造を提供すること。【解決手段】上部開口を備えた収納室と、該収納室の周壁上端縁より延出されたフランジ部（５）を備えたトレー状容器と、該容器に熱封緘される蓋材からなり、トレー状容器の収納室に収納物を収納後、上部開口を蓋材で熱封緘したトレー状容器包装体の蓋材の開封構造であって、各収納室のフランジ部（５）とそれに対応する蓋材（２１）内面の熱封緘強度の方が、各つまみ部内面（２２）とその下の蓋材（２１）外面との熱封緘強度よりも強く設定されている。【選択図】図２
2006199355.tif 000002
【特許請求の範囲】
【請求項１】
底壁とその周縁に立設された周壁と上部開口を備えた収納室と、該収納室の周壁上端縁より延出されたフランジ部を備えたトレー状容器と、前記トレー状容器の上部開口を覆い、フランジ部と熱封緘される蓋材とからなり、
前記トレー状容器の収納室に収納物を収納後、上部開口を前記蓋材で熱封緘したトレー状容器包装体の開封構造であって、
前記トレー状容器は少なくとも二つの収納室が順次フランジ部を介して連続した構造からなり、
前記蓋材は、一つの収納室の上部開口とその周縁のフランジ部を覆う大きさに形成され、
第１の収納室の上部開口を覆うように第１の収納室に対応する第１の蓋材が第１の収納室の周縁より延出されたフランジ部と熱封緘され、
つぎに、第２の収納室の上部開口を覆うように第２の収納室に対応する第２の蓋材が第２の収納室の周縁より延出されたフランジ部と該フランジ部に既に部分的に熱封緘されている第１の蓋材の上に熱封緘され、
最初に熱封緘された第１の収納室の第１の蓋材の第２の蓋材と重ならない方の一方の隅角に第１つまみ部が形成され、
第２の蓋材部分の第１の蓋材に重ねられた部分に第２つまみ部が形成されていることを特徴とする、トレー状容器包装体の開封構造。
【請求項２】
前記各収納室のフランジ部とそれに対応する蓋材との熱封緘強度の方が、各つまみ部とその下の蓋材との熱封緘強度よりも強く設定されていることを特徴とする、請求項１記載のトレー状容器包装体の開封構造。
【請求項３】
前記各収納室は方形で同じ大きさに形成されていることを特徴とする、請求項１又は２記載のトレー状容器包装体の開封構造。
【請求項４】
前記第１つまみ部及び第２つまみ部の先端に未シール部分が形成されていることを特徴とする請求項１〜３のいずれか１項に記載のトレー状容器包装体の開封構造。
【請求項５】
請求項１〜４記載の開封構造を備えたトレー状容器包装体。
【発明の詳細な説明】
【技術分野】
【０００１】
本発明は、カレー、シチューなどの固型ルウ等の収納物を収納したトレー状容器包装体の開封構造に関し、特には、使用状況に合わせて必要部分のみを開封可能としたトレー状容器包装体の開封構造に関する。
【背景技術】
【０００２】
従来、底壁とその周縁に立設された周壁と上部開口を備え、該周壁の上端縁より外方に水平方向に延出されたフランジ部を備えたポリプロピレン樹脂、ポリエチレン樹脂等のポリオレフィン系樹脂を主体とするトレー状容器に、カレー、シチュー等の固型ルウを収納して、上部開口を基材フィルム／イージーピールフィルム等の複合フィルムからなる蓋材で熱封緘したトレー状容器包装体が流通している。
【０００３】
しかし、このトレー状容器包装体は、全部開封、半分開封、あるいは個包装ごとの開封機能であり、使用状況に合わせて必要部分のみを開封するという使い方に対しては、不都合を生じ易かった。
【発明の開示】
【発明が解決しようとする課題】
【０００４】
本発明は、固型ルウなどの収納物を収納したトレー状容器包装体の開封構造に関する以上のような問題に鑑みてなされたもので、固型ルウなどの収納物を使用状況に合わせて必要部分のみを開封可能にしたトレー状容器包装体の開封構造を提供することを課題とする。
【課題を解決するための手段】
【０００５】
本発明の請求項１の発明は、底壁とその周縁に立設された周壁と上部開口を備えた収納室と、該収納室の周壁の上端縁より外方に水平方向に延出されたフランジ部を備えたトレー状容器と、前記トレー状容器の上部開口を覆い、フランジ部と熱封緘される蓋材とからなり、前記トレー状容器の収納室に固型ルウ等の収納物を収納後、上部開口を前記蓋材で熱封緘したトレー状容器包装体の開封構造であって、前記トレー状容器は少なくとも二つの収納室が順次フランジ部を介して連続した構造からなり、前記蓋材は、一つの収納室の上部開口とその周縁のフランジ部を覆う大きさに形成され、第１の収納室の上部開口を覆うように第１の収納室に対応する第１の蓋材が第１の収納室の周縁より延出されたフランジ部と熱封緘され、つぎに、第２の収納室の上部開口を覆うように第２の収納室に対応する第２の蓋材が第２の収納室の周縁より延出されたフランジ部と該フランジ部に既に部分的に熱封緘されている第１の蓋材の上に熱封緘され、最初に熱封緘された第１の収納室の第１の蓋材の第２の蓋材と重ならない方の一方の隅角に第１つまみ部が形成され、第２の蓋材部分の第１の蓋材に重ねられた部分に第２つまみ部が形成されていることを特徴とする、トレー状容器包装体の開封構造である。
【０００６】
このように請求項１記載の発明によれば、トレー状容器は少なくとも二つの収納室が順次フランジ部を介して連続した構造からなり、前記蓋材は、一つの収納室の上部開口とその周縁のフランジ部を覆う大きさに形成され、第１の収納室の上部開口を覆うように第１の収納室に対応する第１の蓋材が第１の収納室の周縁より延出されたフランジ部と熱封緘され、つぎに、第２の収納室の上部開口を覆うように第２の収納室に対応する第２の蓋材が第２の収納室の周縁より延出されたフランジ部と該フランジ部に既に部分的に熱封緘されている第１の蓋材の上に熱封緘され、最初に熱封緘された第１の収納室の第１の蓋材の第２の蓋材と重ならない方の一方の隅角に第１つまみ部が形成され、第２の蓋材部分の第
１の蓋材に重ねられた部分に第２つまみ部が形成されているので、第１の収納室の第１つまみ部から蓋材を剥がすと、第２の収納室まで一度に開封することができ、第２の収納室の第２つまみ部から蓋材を剥がすと、第１収納室の蓋材を除く、第２収納室のみの蓋材を剥がすことができる。また、例えば、収納室が四つある場合には、第１の収納室の第１つまみ部から蓋材を剥がすと、第４の収納室まで全部の収納室を一度に開口することができ、第２の収納室の第２つまみ部から蓋材を剥がすと、第１収納室の蓋材を除く、第２収納室から第４収納室までの３つの収納室の蓋材を剥がすとができ、第３収納室の第３つまみ部から蓋材を剥がすと、第３収納室と第４収納室の２つの蓋材を剥がすことができ、また、第４収納室の第４つまみ部の蓋材を剥がすと、第４収納室の蓋材のみを剥がすことができる。
【０００７】
また、請求項２の発明は、請求項１の発明において、前記各収納室のフランジ部とそれに対応する蓋材との熱封緘強度の方が、各つまみ部とその下の蓋材との熱封緘強度よりも強く設定されていることを特徴とする、トレー状容器包装体の開封構造である。
【０００８】
このように請求項２記載の発明によれば、各収納室のフランジ部とそれに対応する蓋材との熱封緘強度の方が、各つまみ部とその下の蓋材との熱封緘強度よりも強く設定されているので、最初のフランジ部とそれに対応する蓋材を剥がすだけで、つぎのフランジ部とそれに対応する蓋材も一緒に剥がすことができる。
【０００９】
また、請求項３の発明は、請求項１又は２の発明において、前記各収納室は方形で同じ大きさに形成されていることを特徴とする、トレー状容器包装体の開封構造である。
【００１０】
このように請求項３記載の発明によれば、各収納室は方形で同じ大きさに形成されているので、例えば、四つの収納室を有するトレー状容器包装体の場合、第１の収納室の第１つまみ部から蓋材を剥がすと、第４の収納室まで全部の収納室を一度に無理なくきれいに開口することができ、第２の収納室の第２つまみ部から蓋材を剥がすと、第１収納室の蓋材を除く、第２収納室から第４収納室までの３つの収納室の蓋材を無理なくきれいに剥がすとができ、第３収納室の第３つまみ部から蓋材を剥がすと、第３収納室と第４収納室の２つの蓋材を無理なくきれいに剥がすことができ、また、第４収納室の第４つまみ部の蓋材を剥がすと、第４収納室の蓋材のみをきれいに剥がすことができる。
【００１１】
また、請求項４の発明は、請求項１、２又は３の発明において、前記第１つまみ部及び第２つまみ部の先端に未シール部が形成されていることを特徴とする、トレー状容器包装体の開封構造である。
【００１２】
このように請求項４記載の発明によれば、第１つまみ部及び第２つまみ部の先端に未シール部が形成されているので、各つまみ部とフランジ部とを容易に分離して開封する際のきっかけとすることができる。
【００１３】
また、請求項５の発明は、請求項１〜４記載の開封構造を備えたトレー状容器包装体である。
【発明の効果】
【００１４】
このように本発明のトレー状容器包装体の開封構造は、少量ずつ使いたいニーズに応えるもので、使用状態に応じて必要部分のみを簡易に、かつ、同時に開封することが可能になっている。
本発明においては、４室に分かれたトレーを１室ごと、あるいは２室、３室同時に開封でき、全室を同時に開封することが可能になったものである。
【発明を実施するための最良の形態】
【００１５】
本発明を一実施形態に基づいて以下に詳細に説明する。
本発明のトレー状容器包装体の開封構造は、例えば、図１、図２に示すように、底壁とその周縁に立設された周壁と上部開口を備えた収納室と、該収納室の周壁の上端縁より外方に水平方向に延出されたフランジ部（５）を備えたトレー状容器（１０）と、前記トレー状容器の上部開口を覆い、フランジ部と熱封緘される蓋材（２０）とからなり、前記トレー状容器の収納室に固型ルウ等の収納物（３０）を収納後、上部開口を前記蓋材で熱封緘したトレー状容器包装体（１）の開封構造である。
【００１６】
そして、トレー状容器（１０）は、少なくとも二つの収納室〜第１の収納室（１１）と第２の収納室（１２）〜がフランジ部（５）を介して連続した構造からなっている。
また、蓋材（２０）は、一つの収納室の上部開口とその周縁のフランジ部を覆う大きさに形成され、第１の収納室（１１）の上部開口を覆うように第１の収納室に対応する第１の蓋材（２１）が第１の収納室の周縁より延出されたフランジ部と熱封緘（７）されている。
【００１７】
つぎに、第２の収納室（１２）の上部開口を覆うように第２の収納室に対応する第２の蓋材（２２）が第２の収納室の周縁より延出されたフランジ部と該フランジ部に既に部分的に熱封緘されている第１の蓋材（２１）の上に熱封緘（７）されている。
【００１８】
最初に熱封緘された第１の収納室（１１）の第１の蓋材（２１）の第２の蓋材（２２）と重ならない方の一方の隅角には第１つまみ部（２１１）が形成されている。
【００１９】
そして、第２の蓋材（２２）部分の第１の蓋材（２１）に重ねられた部分に第２つまみ部（２２１）が形成されたものである。
【００２０】
第２つまみ部（２２１）は、図１に示すように第１つまみ部（２１１）とならんだ同角に設けられている。つまみ部の位置を図３に示すように対角に持ってくるようにしても良い。
【００２１】
図４、図５は収納室を四つにした一例である。これについて説明する。
すなわち、トレー状容器は第１の収納室（１１）、第２の収納室（１２）、第３の収納室（１３）、第４の収納室（１４）がそれそれフランジ部（５）を介して連続した構造になっている。
【００２２】
また、蓋材（２０）は、図１〜図３同様に、一つの収納室の上部開口とその周縁のフランジ部を覆う大きさに形成され、第１の収納室（１１）の上部開口を覆うように第１の収納室に対応する第１の蓋材（２１）が第１の収納室の周縁より延出されたフランジ部と熱封緘（７）されている。
【００２３】
つぎに、第２の収納室（１２）の上部開口を覆うように第２の収納室に対応する第２の蓋材（２２）が第２の収納室の周縁より延出されたフランジ部と該フランジ部に既に部分的に熱封緘されている第１の蓋材（２１）の上に熱封緘（７）されている。
【００２４】
つぎに、第３の収納室（１３）の上部開口を覆うように第３の収納室に対応する第３の蓋材（２３）が第３の収納室の周縁より延出されたフランジ部と該フランジ部に既に部分的に熱封緘されている第２の蓋材（２２）の上に熱封緘（７）されている。
【００２５】
最後に、第４の収納室（１４）の上部開口を覆うように第４の収納室に対応する第４の蓋材（２４）が第４の収納室の周縁より延出されたフランジ部と該フランジ部に既に部分
的に熱封緘されている第３の蓋材（２３）の上に熱封緘（７）されている。
【００２６】
さらに、最初に熱封緘された第１の収納室（１１）の蓋材（２１）が第２の蓋材（２２）と重ならない方の隅角の蓋材部分に第１つまみ部（２１１）が形成され、該第１つまみ部（２１１）と対角線上に位置する隅角の第２の収納室の蓋材部分に第２つまみ部（２２１）が形成され、第２つまみ部に対応する第３の収納室の隅角に第３つまみ部（２３１）が形成され、第４の収納室の隅角に第４つまみ部（２４１）が形成されている。
【００２７】
そして、各収納室のフランジ部とそれに対応する蓋材との熱封緘強度の方が、各つまみ部とその下の蓋材との熱封緘強度よりも強く設定されている。
すなわち、例えば、フランジ部（５）と第１の蓋材（２１）の内面との間の熱封緘強度は、第１の蓋材（２１）の外面とその上に重なる第２の蓋材（２２）の内面との熱封緘強度よりも強く設定されている。同様に、フランジ部（５）と第２の蓋材（２２）の内面との間の熱封緘強度は、第２の蓋材（２２）の外面とその上に重なる第３の蓋材（２３）の内面との間の熱封緘強度よりも強く設定されているし、フランジ部（５）と第３の蓋材（２３）の内面との間の熱封緘強度は、第３の蓋材（２３）の外面とその上に重なる第４の蓋材（２４）の内面との間の熱封緘強度よりも強く設定されている。
【００２８】
フランジ部（５）と蓋材内面との間の熱封緘強度の方が、蓋材の外面と蓋材の内面との間の熱封緘強度よりも強く設定することは、トレー状容器の内面側の材質、蓋材の内面側の材質、蓋材の外面側の材質をそれぞれ変えることにより実現できる。
【００２９】
各収納室のフランジ部での蓋材との重なり部分の熱封緘強度を上記のように設定することにより、第１の収納室（１１）を密封している第１の蓋材（２１）のつまみ部（２１１）を第２の収納室（２２）方向に引き剥がすと、第１の収納室（２１）が全部開封された後も第１の蓋材が切断されることなく、引き続き第２の収納室（２２）を覆う第２の蓋材（２２）を引き剥がし、続いて第３の蓋材（２３）、第４の蓋材（２４）と全部の蓋材を一度に剥がして、第１の収納室（１１）、第２の収納室（１２）、第３の収納室（１３）、第４の収納室（１４）と４つの収納室を一度に開封することができる。
【００３０】
また、第２の収納室（１２）を密封している第２の蓋材（２２）のつまみ部（２２１）を第３の収納室（２３）方向に引き剥がすと、第１の収納室（１１）を密封している第１の蓋材（２１）は、開封されることなく、第２の収納室（１２）が開封された後も、第２の蓋材（２２）はちぎれることなく、引き続き第３の収納室（１３）を覆う第３の蓋材（２３）を引き剥がし、続いて第４の蓋材（２４）と全部の蓋材を一度に剥がして、第２の収納室（１２）、第３の収納室（１３）、第４の収納室（１４）と３つの収納室を一度に開封することができる。
【００３１】
また、第３の収納室（１３）を密封している第３の蓋材（２３）のつまみ部（２３１）を第４の収納室（２４）方向に引き剥がすと、第１の収納室（１１）を密封している第１の蓋材（１１）と第２の収納室（１２）を密封している第２の蓋材（２２）は、開封されることなく、第３の収納室（１３）が開封された後も、第３の蓋材（２３）はちぎれることなく、引き続き第４の収納室（１４）を覆う第４の蓋材（２４）を引き剥がして第３の収納室（１３）と第４の収納室（１４）の２つの収納室を一度に開封することができる。
【００３２】
また、第４の収納室（１４）を密封している第４の蓋材（２４）のつまみ部（２４１）を第４の収納室（２４）方向に引き剥がすと、第４の蓋材（２４）のみを引き剥がして、第４の収納室（２４）のみを開封することができる。
すなわち、使用状況に合わせて必要部分のみを開封するという使い方ができる。
【００３３】
なお、収納室が４つ設けられたトレー状容器包装体について説明しているが、収納室は少なくとも二個形成されていれば４つに限定されるものではない。
【００３４】
トレー状容器（１０）は、一般的にはガスバリア性の高いエチレン−ビニルアルコール共重合体を含む多層シートから真空成形法により形成される。
【００３５】
また、蓋材（２０）は、トレー状容器（１０）と熱封緘性があり、かつ、イージーピール性を有するプラスチックフィルムが好ましく、トレー状容器（１０）の材質にも限定されるが、ポリエチレンテレフタレートフィルムにイージーピールシーラントフィルムを貼り合わせた多層フィルム等が好ましく使用できる。必要に応じて印刷層（図示せず）を設けることができる。
【００３６】
また、各収納室を方形で同じ大きさに形成しておくことにより、例えば、一番手前の収納室のつまみ部から蓋材を剥がすことにより、残りの収納室の蓋材まで、すべとの収納室の蓋材を一度に無理なく綺麗に剥がすことができ、全部の収納室を一度に開口することができる。
【００３７】
さらに各つまみ部の先端に未シール部分を設けておくことにより、例えば、フランジ部からつまみ部を剥離する際のきっかけとすることができ、容易に各収納室を開封することができる。
【図面の簡単な説明】
【００３８】
【図１】本発明のトレー状容器包装体の一実施例を示す、斜視説明図である。
【図２】図１のＡ−Ａ’線断面説明図である（わかり易くするため、つまみ部を模式的に書き加えてある）。
【図３】本発明のトレー状容器包装体の別の実施例を示す、斜視説明図である。
【図４】本発明のトレー状容器包装体の一実施例を示す、斜視説明図である。
【図５】図４のＢ−Ｂ’線断面説明図である（わかり易くするため、つまみ部を模式的に書き加えてある）。
【符号の説明】
【００３９】
１‥‥トレー状容器包装体
５‥‥フランジ部
７‥‥熱封緘部
１０‥‥トレー状容器
１１‥‥第１の収納室
１２‥‥第２の収納室
１３‥‥第３の収納室
１４‥‥第４の収納室
２０‥‥蓋材
２１‥‥第１の蓋材
２２‥‥第２の蓋材
２３‥‥第３の蓋材
２４‥‥第４の蓋材
３０‥‥収納物
２１１‥‥第１つまみ部
２２１‥‥第２つまみ部
２３１‥‥第３つまみ部
２４１‥‥第４つまみ部
【図１】
2006199355.tif 000003
【図２】
2006199355.tif 000004
【図３】
2006199355.tif 000005
【図４】
2006199355.tif 000006
【図５】
2006199355.tif 000007